(57)【特許請求の範囲】
【請求項１】
上部領域と、下部領域と、上記上部領域および上記下部領域の間に位置する中部領域からなる表示パネルと、
第１区間の間に順方向スキャン方向に沿って左眼データフレーム及び右眼データフレームを含む３次元画像データのデータ電圧を表示パネルに出力し、第２区間の間に前記データ電圧の出力を遮断して以前に印加されたデータ電圧を維持し、前記第１区間より小さな第３区間の間にブラックデータ電圧を前記表示パネルに出力するデータ駆動部と、
を含み、
左眼制御信号に応じて前記左眼データフレームに対応する画像を透過して前記右眼データフレームに対応する画像を遮断する左眼部のシャッタ及び右眼制御信号に応じて前記右眼データフレームに対応する画像を透過して前記左眼データフレームに対応する画像を遮断する右眼部のシャッタを有するメガネ部を用いて使用される表示装置であって、
前記ブラックデータ電圧の出力のタイミングは前記左眼制御信号及び前記右眼制御信号がオフするタイミングよりも前のタイミングから始まり、順方向スキャン方向に沿って所定の傾斜角を有し、
前記３次元画像データのデータ電圧の出力タイミングは前記左眼制御信号または前記右眼制御信号がオンするタイミングよりも前のタイミングから始まり、
前記以前に印加されたデータ電圧を維持する区間は、前記ブラックデータ電圧が出力されるまでであり、上記上部領域から上記下部領域に向かうに従い徐々に減少していくことを特徴とする表示装置。
【請求項２】
前記表示パネルに前記３次元画像データに対応する画像が表示される画像区間に光を提供し、前記ブラックデータ電圧に対応するブラック画像が表示されるブラック区間に光を遮断する光源部をさらに含み、
前記画像区間は前記維持区間を含むことを特徴とする請求項１に記載の表示装置。
【請求項３】
前記表示パネルは、上部領域と、下部領域と、上記上部領域および上記下部領域の間に位
置する中部領域に対応して設定された複数のルックアップテーブルを用いて前記３次元画像データを補正するデータ補正部をさらに含むことを特徴とする請求項２に記載の表示装置。
【請求項４】
前記データ駆動部は、
第４区間の間に逆方向スキャン方向に沿って前記表示パネルに前記３次元画像データのデータ電圧を出力し、第５区間の間にデータ電圧の出力を遮断し、前記第４区間より小さな第６区間の間に前記表示パネルにブラックデータ電圧を出力することを特徴とする請求項２に記載の表示装置。
【請求項５】
前記第１区間の間に第１パルスを有するゲート信号をスキャン方向に沿って前記表示パネルの複数のゲートラインに順次に出力するゲート駆動部をさらに含むことを特徴とする請求項２に記載の表示装置。
【請求項６】
前記ゲート駆動部は、
前記第３区間の間に前記第１パルスと同じであるか、または、小さな第２パルスを有するゲート信号をスキャン方向に沿って前記ゲートラインに順次に出力することを特徴とする請求項５に記載の表示装置。
【請求項７】
前記ゲート駆動部は、
前記第３区間の間、第３パルスを有するゲート信号を前記ゲートラインに同時に出力することを特徴とする請求項５に記載の表示装置。
【請求項８】
前記ブラックデータ電圧の代わりに、直前に前記表示パネルに出力された前記３次元画像データと同じである画像データのデータ電圧を用いることを特徴とする請求項１に記載の表示装置。
【請求項９】
前記３次元画像データは前記左眼フレーム画像データと前記右眼フレーム画像データを含み、
前記表示パネルに印加される複数の３次元画像データは、順方向スキャンモードと逆方向スキャンモードを交互に駆動することを特徴とする請求項１に記載の表示装置。
【請求項１０】
前記複数のルックアップテーブルは、順次に入力される隣接したフレーム画像データを用いて補正データを生成することを特徴とする請求項３に記載の表示装置。
【請求項１１】
複数の画素、複数のゲートライン、及び複数のデータラインを含み、上部領域と、下部領域と、上記上部領域および上記下部領域の間に位置する中部領域からなる表示パネルと、第１区間の間左眼イメージのデータ電圧をデータラインに提供し、第２区間の間に前記データラインにデータ電圧の提供を遮断して以前に印加されたデータ電圧をブラック画像のブラック電圧が出力されるまで維持し、第３区間の間にデータラインに前記ブラック画像のブラック電圧を前記データラインに提供し、第４の区間に前記データラインに右眼イメージのデータ電圧を提供するタイミング制御部を含み、
左眼制御信号に応じて前記左眼イメージを透過して前記右眼イメージを遮断する左眼部のシャッタ及び右眼制御信号に応じて前記右眼イメージを透過して前記左眼イメージを遮断する右眼部のシャッタを有するメガネ部を用いて使用される表示装置であって、
前記タイミング制御部は画素の各次の行にブラック電圧が提供される前記第３区間の幅を前記行のうち、以前の１つに前記ブラック電圧が提供される前記第３区間の幅より大きく調節し、
前記ブラック電圧は前記左眼制御信号がオフするタイミングよりも前のタイミングから前記データラインに提供され、
前記左眼イメージまたは前記右眼イメージに対応するデータ電圧の各々は前記右眼制御信号がオンするタイミングよりも前のタイミングから前記データラインに提供されることを特徴とする表示装置。
【発明の詳細な説明】
【技術分野】
【０００１】
本発明は表示パネルの駆動方法及びそれを実行する表示装置に関し、より詳しくは、３次元画像の輝度向上のための表示パネルの駆動方法及びそれを実行する表示装置に関する。
【背景技術】
【０００２】
一般に、液晶表示装置は２次元平面画像を表示する。最近、ゲーム、映画などの分野で３次元立体画像に対する需要が増加することによって、液晶表示装置を用いて３次元立体画像を表示する技術が開発されている。
【０００３】
通常、立体画像（３次元画像）は、人の両眼を通じての両眼視差（ｂｉｎｏｃｕｌａｒ  ｐａｒａｌｌａｘ）の原理を用いて立体画像を表示する。例えば、人の両眼は、所定の間隔で離れているので、それぞれの目で異なる角度で観察した画像が、脳内に入力される。立体画像表示装置は、こうした両眼視差を利用している。
【０００４】
両眼視差を利用する方式としては、メガネ方式（ｓｔｅｒｅｏｓｃｏｐｉｃ）と非メガネ方式（ａｕｔｏｓｔｅｒｅｏｓｃｏｐｉｃ）がある。メガネ方式には、両眼にそれぞれ異なる偏光軸を有する偏光フィルタによる受動的（ｐａｓｓｉｖｅ）偏光メガネ（Ｐｏｌａｒｉｚｅｄ  Ｇｌａｓｓｅｓ）方式と、時間分割された左眼画像と右眼画像とを周期的に表示し、この周期に同期された左眼シャッタと右眼シャッタとを開閉するメガネをかける能動的（ａｃｔｉｖｅ）シャッタメガネ（Ｓｈｕｔｔｅｒ  Ｇｌａｓｓｅｓ）方式などがある。
【０００５】
偏光メガネ方式は、左眼画像と右眼画像を分離するために使われる偏光フィルタによって３次元画像の輝度が低下する短所を有している。また、シャッタメガネ方式は、液晶の応答速度が速いほど左眼画像と右眼画像のクロストークが改善されるので、液晶の応答速度が最も重要である言える。液晶の応答速度の特性には、物理的限界があり、これを克服するためにグローバルブリンキング（ｇｌｏｂａｌ  ｂｌｉｎｋｉｎｇ）駆動方式でバックライトを駆動して左眼画像と右眼画像のクロストークを改善する方案が適用されている。しかし、グローバルブリンキング駆動は、３次元画像の輝度を低下させる短所を有している。
【先行技術文献】
【特許文献】
【０００６】
【特許文献１】韓国特許出願公開２０１０―００５６３６１号明細書
【特許文献２】米国特許出願公開２００８／０２８４８０１号明細書
【特許文献３】米国特許出願公開２０１１／０１０９７３３号明細書
【特許文献４】米国特許出願公開２０１１／０００７１４０号明細書
【発明の概要】
【発明が解決しようとする課題】
【０００７】
そこで、本発明は上記従来の問題点に鑑みてなされたものであって、本発明の目的は、輝度向上のための表示パネルの駆動方法を提供することにある。
【０００８】
本発明の他の目的は、前記表示パネルの駆動方法を実行するための表示装置を提供することにある。
【課題を解決するための手段】
【０００９】
上記目的を達成するためになされた本発明による一実施形態に係る表示パネルの駆動方法は、第１区間の間、順方向スキャン方向に沿って左眼データフレーム及び右眼データフレームを含む３次元画像データのデータ電圧を表示パネルに出力する。第２区間の間、データ電圧を出力を遮断する。第１区間より小さな第３区間の間、ブラックデータ電圧を前記表示パネルに出力する。
【００１０】
本実施形態において、表示パネルは、ブラックデータ電圧が出力される前に、３次元画像データのデータ電圧を維持する維持区間を有し、維持区間はスキャン方向に沿って徐々に減少してもよい。
【００１１】
本実施形態において、表示パネルに３次元画像データに対応する画像が表示される画像区間に光を提供し、表示パネルに前記ブラックデータ電圧に対応するブラック画像が表示されるブラック区間に光を遮断してもよい。画像区間は前記維持区間を含んでもよい。
【００１２】
本実施形態において、ブラックデータ電圧が前記表示パネルに印加される時間は、スキャン方向に沿って徐々に増加してもよい。
【００１３】
本実施形態において、表示パネルはスキャン方向に沿って複数の空間領域に分割され、空間領域に対応して設定された複数のルックアップテーブルを用いて３次元画像データを補正するステップをさらに含んでもよい。
【００１４】
本実施形態において、第４区間の間、逆方向スキャン方向に沿って表示パネルに３次元画像データのデータ電圧を出力し、第５区間の間、データ電圧が逆方向のスキャン方向に沿って表示パネルに出力されることを遮断し、並びに、第４区間より小さな第６区間の間は表示パネルにブラックデータ電圧を出力してもよい。
【００１５】
本実施形態において、３次元画像データのデータ電圧を出力するときに、第１パルスを有するゲート信号をスキャン方向に沿って表示パネルの複数のゲートラインに順次に出力することを含んでもよい。
【００１６】
本実施形態において、表示パネルにブラックデータ電圧を出力するときに、第１パルスと同じであるか、または、小さな第２パルスを有するゲート信号をスキャン方向に沿ってゲートラインに順次に出力することを含んでもよい。
【００１７】
本実施形態において、表示パネルにブラックデータ電圧を出力するときに、第３パルスを有するゲート信号をゲートラインに同時に出力してもよい。
【００１８】
上記本発明の目的を達成するための他の実施形態に係る表示パネルの駆動方法は、第１区間の間、表示パネルに第１左眼または第１右眼データフレームのデータ電圧を出力する。第１パルスを有するゲート信号を表示パネルの複数のゲートラインに順次に出力する。第２区間の間、データ電圧が表示パネルに出力されることを遮断する。第１区間より小さな第３区間の間は第１左眼または第１右眼データフレームが繰り返される第２左眼または第２右眼データフレームのデータ電圧を出力する。第２パルスを有するゲート信号を前記ゲートラインに順次に出力する。
【００１９】
上記本発明の他の目的を達成するための他の実施形態に係る表示装置は、表示パネル及びデータ駆動部を含む。第１区間の間、データ駆動部は順方向スキャン方向に沿って左眼データフレーム及び右眼データフレームを含む３次元画像データのデータ電圧を表示パネルに出力し、第２区間の間、データ電圧を出力を遮断し、前記第１区間より小さな第３区間の間にブラックデータ電圧を表示パネルに出力する。
【００２０】
本実施形態において、表示パネルは前記ブラックデータ電圧が印加される前に、３次元画像データのデータ電圧を維持する維持区間を有し、維持区間はスキャン方向に沿って徐々に減少してもよい。
【００２１】
本実施形態において、表示パネルに３次元画像データに対応する画像が表示される画像区間に光を提供し、ブラックデータ電圧に対応するブラック画像が表示されるブラック区間に光を遮断する光源部をさらに含んでもよく、画像区間は維持区間を含んでもよい。
【００２２】
本実施形態において、表示パネルはスキャン方向に沿って複数の空間領域に分割され、空間領域に対応して設定された複数のルックアップテーブルを用いて３次元画像データを補正するデータ補正部をさらに含んでもよい。
【００２３】
本実施形態において、第４区間の間、データ駆動部は、逆方向スキャン方向に沿って前記表示パネルに３次元画像データのデータ電圧を出力し、第５区間の間、データ電圧の出力を遮断し、第４区間より小さな第６区間の間、表示パネルにブラックデータ電圧を出力してもよい。
【００２４】
本実施形態において、第１区間の間、第１パルスを有するゲート信号をスキャン方向に沿って表示パネルの複数のゲートラインに順次に出力するゲート駆動部をさらに含んでもよい。
【００２５】
本実施形態において、ゲート駆動部は、第３区間の間に第１パルスと同じであるか、または、小さな第２パルスを有するゲート信号をスキャン方向に沿ってゲートラインに順次に出力してもよい。
【００２６】
本実施形態において、ゲート駆動部は、第３区間の間、第３パルスを有するゲート信号をゲートラインに同時に出力してもよい。
【００２７】
上記本発明の他の目的を実現するための他の実施形態に係る表示装置は、表示パネルを含む。表示パネルは前記表示パネル全領域に表示される左眼フレーム画像、右眼フレーム画像、リフレッシュフレーム画像のうち、いずれか１つを表示し、左眼フレーム画像に対応する左眼フレーム画像データまたは右眼フレーム画像に対応する右眼フレーム画像データが、第１区間の間に印加され、第１区間より短い第２区間の間に前記リフレッシュフレーム画像データが印加される。
【００２８】
本実施形態において、左眼フレーム画像を透過して右眼フレーム画像を遮断する左眼部、及び、右眼フレーム画像を透過して左眼フレーム画像を遮断する右眼部を含むメガネ部をさらに含んでもよい。
【００２９】
本実施形態において、リフレッシュフレーム画像データは、ブラック画像を表示するブラックフレーム画像データであってもよい。
【００３０】
本実施形態において、ブラックフレーム画像データは、表示パネルの複数の水平ラインに同時に印加されてもよい。
【００３１】
本実施形態において、リフレッシュフレーム画像データは、リフレッシュフレーム画像データが印加される直前に表示パネルに印加された左眼フレーム画像データと同じであるか、または、リフレッシュフレーム画像データが印加される直前に表示パネルに印加された左眼フレーム画像データを用いて生成される第２左眼フレーム画像データであってもよい。
【００３２】
本実施形態において、リフレッシュフレーム画像データは、リフレッシュフレーム画像データが印加される直前に前記表示パネルに印加された右眼フレーム画像データと同じであるか、または、リフレッシュフレーム画像データが印加される直前に表示パネルに印加された右眼フレーム画像データを用いて生成される第２右眼フレーム画像データであってもよい。
【００３３】
本実施形態において、第１の表示パネルに印加される複数の左眼及び右眼フレーム画像データは第１のスキャン方向に表示パネルに印加され、第２の表示パネルに印加される複数の左眼及び右眼フレーム画像データは第２のスキャン方向に表示パネルに印加されてもよい。
【００３４】
本実施形態において、表示パネルに表示された左眼フレーム画像と右眼フレーム画像を互いに異なる偏光に変換する偏光パネルをさらに含んでもよい。
【００３５】
本実施形態において、表示パネルは、スキャン方向に沿って複数の空間領域に分割され、空間領域に対応して設定された複数のルックアップテーブルを用いて左眼及び右眼フレーム画像データを補正するデータ補正部をさらに含んでもよい。
【００３６】
本実施形態において、複数のルックアップテーブルは、順次に入力される隣接したフレーム画像データを用いて補正データを生成してもよい。
【発明の効果】
【００３７】
本発明の実施形態によれば、表示パネルにデータ電圧の出力を所定の区間の間遮断し、以前データ電圧を維持させることによって３次元画像の輝度を向上させることができる。また、左眼画像と右眼画像との間にブラック画像を挿入することによって、３次元画像のクロストークを防止することができる。
【図面の簡単な説明】
【００３８】
【図１】本発明の一実施形態に係る表示装置のブロック図である。
【図２】図１の表示パネルの駆動方法を説明するための波形図である。
【図３】図１の表示パネルの駆動方法を説明するための概念図である。
【図４】図１のデータ補正部に関するブロック図である。
【図５】図１に示したゲート駆動部の駆動方法を説明するためのタイミング図である。
【図６】図１に示したゲート駆動部の駆動方法を説明するためのタイミング図である。
【図７】図１に示したゲート駆動部の他の実施形態に係る駆動方法を説明するためのタイミング図である。
【図８】本発明の他の実施形態に係る表示パネルの駆動方法を説明するための概念図である。
【図９】図８に示した表示パネルの駆動方法を説明するための波形図である。
【図１０】本発明の他の実施形態に係る表示パネルの駆動方法を説明するための概念図である。
【図１１】本発明の他の実施形態に係る表示パネルの駆動方法を説明するための概念図である。
【図１２】図１１に示した表示パネルの駆動方法を説明するための波形図である。
【図１３】本発明の他の実施形態に係る表示パネルの駆動方法を説明するための波形図である。
【図１４】本発明の実施形態に係る表示パネルの駆動方法を説明するための概念図である。
【発明を実施するための形態】
【００３９】
以下、図面を参照して本発明の望ましい実施形態をより詳細に説明することにする。
【００４０】
図１は本発明の第１の実施形態に係る表示装置のブロック図である。
【００４１】
図１を参照すれば、表示装置は、３Ｄ処理部１００、タイミング制御部２００、反復部３００、表示パネル４００、パネル駆動部５００、光源部６００、光源駆動部７００、及びメガネ部８００を含む。
【００４２】
３Ｄ処理部１００は、３次元画像モード時に受信されたフレーム単位のソースデータフレームを３次元データフォーマットに処理する。例えば、１つのフレーム３次元データは、所定の期間の間に表示パネル４００の全てのピクセルを用いてイメージを表示するのに必要とされるデータに対応する。３Ｄ処理部１３０は、ソースデータフレームを左眼データと右眼データに分離して、分離した左眼データ及び右眼データを表示パネル３００の解像度に合わせて左眼データフレーム及び右眼データフレームにそれぞれスケーリングして３次元画像データを出力する。３Ｄ処理部１００は、３次元画像データである、左眼データフレーム及び右眼データフレームを時分割して順次に出力する。
【００４３】
タイミング制御部２００は、表示装置の駆動のためのタイミング制御信号を生成し、３Ｄ処理部１００、反復部３００、パネル駆動部５００及び光源駆動部７００を制御する。
【００４４】
タイミング制御部２００はデータ補正部２１０を含む。データ補正部２１０は、表示パネル４００の複数の空間領域に対応してまたスキャン方向に沿って設定された複数のルックアップテーブルを用いて３次元画像データを補正する。例えば、表示パネル４００の画素の連続する行のセットが選択されたスキャン方向に沿って駆動される方向に対応する。例えば、３つの領域が存在する場合、順方向スキャン方向は第１、第２、第３のゲートラインの連続する活性化に対応し、逆方向スキャン方向は第３、第２、第１のゲートラインの連続する活性化に対応する。
【００４５】
例えば、データ補正部２１０は、現在受信した左眼または右眼データフレームを、以前に受信した右眼または左眼データフレームに基づいて補正する。本実施形態に係るデータ補正部２１０は、表示パネル５００をスキャン方向に沿って空間的に複数の領域に分割し、各領域に対応する補正データが保存された複数のルックアップテーブルを含む。データ補正部２１０のデータ補正方法は、後述する図４を参照して詳しく説明する。
【００４６】
反復部３００は、タイミング制御部２００から提供されたフレーム単位の３次元画像データを表示パネル５００の駆動周波数に基づいて少なくとも１回以上繰り返して出力する。例えば、反復部２００は表示パネル５００の駆動周波数が２４０Ｈｚであれば、左眼データフレームまたは右眼データフレームを１回繰り返し、駆動周波数が３６０Ｈｚであれば、左眼データフレームまたは右眼データフレームを２回繰り返す。反復部３００は少なくとも２つの左眼データフレーム及び少なくとも２つの右眼データフレームを順次に出力する。
【００４７】
表示パネル４００は、第１〜第ｎデータラインＤＬ１、…、ＤＬｎと、第１〜第ｍゲートラインＧＬ１、…、ＧＬｍ、及び、複数の画素Ｐを含む。第１〜第ｎデータラインＤＬ１、…、ＤＬｎは、第１方向Ｄ１に延長され、第１方向Ｄ１と交差する第２方向Ｄ２に配列される。第１〜第ｍゲートラインＧＬ１、…、ＧＬｍは、第２方向Ｄ２に延長され、第１方向Ｄ１に配列される。各画素は、ゲートラインＧＬ１とデータラインＤＬ１に接続されたスイッチング素子ＴＲ、スイッチング素子ＴＲと接続された液晶キャパシタＣＬＣ、並びに、ストレージ  キャパシタＣＳＴを含んでもよい。
【００４８】
パネル駆動部５００は、反復部３００から受信されたデータフレームを用いて表示パネル４００に少なくとも１つの左眼画像、リフレッシュ画像、少なくとも１つの右眼画像、リフレッシュ画像の順に表示する。反復部３００が省略される場合、パネル駆動部５００は、タイミング制御部２００から直接左眼画像および右眼画像を受信する。パネル駆動部５００は、データ駆動部５１０及びゲート駆動部５３０を含む。以下、リフレッシュ画像はブラック画像である場合を例にして説明する。
【００４９】
データ駆動部５１０は、タイミング制御部２００の制御によって、第１区間の間に表示パネル４００に左眼データフレームのデータ電圧を出力し、第２区間の間に表示パネル４００にデータ電圧の出力を遮断し、第３区間の間に表示パネル４００にブラックデータ電圧を出力する。第１区間は、第２及び第３区間の合計と実質的に同一である。データ駆動部５１０は、タイミング制御部２００の制御によって、第４区間の間に前記表示パネル４００に右眼データフレームのデータ電圧を出力し、第５区間の間に表示パネル４００にデータ電圧の出力を遮断し、第６区間の間に表示パネル４００にブラックデータ電圧を出力する。第４区間は、第５及び第６区間の合計と実質的に同一である。
【００５０】
ゲート駆動部５３０は、タイミング制御部２００の制御によって、第１区間の間に、第１周波数で前記表示パネル４００の第１〜第ｍゲートライン（ｍは自然数）に第１〜第ｍゲート信号を順次に出力し、第２区間の間はゲート信号の出力を遮断し、第３区間の間は、第１周波数より高速の第２周波数で表示パネル４００の第１〜第ｍゲートラインに第１〜第ｍゲート信号を順次に出力する。
【００５１】
例えば、ゲート駆動部５１０は、第１区間の間に第１水平周期Ｈ１の第１パルスを有する第１〜第ｍゲート信号を順次に出力し、第２区間の間にローレベルのゲート信号を出力し、第３区間の間には、第１水平周期より短い第２水平周期の第２パルスを有する第１〜第ｍゲート信号を順次に出力する。続いて、第４区間の間に第１水平周期の第１パルスを有する第１〜第ｍゲート信号を順次に出力し、第５区間の間にローレベルのゲート信号を出力し、第６区間の間には前記第２水平周期の第２パルスを有する第１〜第ｍゲート信号を順次に出力する。
【００５２】
光源部６００は表示パネル４００に光を提供する。光源部６００は、エッジ型でもよいし、直下型であってもよい。エッジ型は表示パネル４００の下に配置された導光板及び導光板の少なくとも１つのエッジに少なくとも１つの光源が配置された構造である。直下型光源は、導光板は省略され、表示パネル４００のすぐ下に少なくとも１つの光源が配置される構造である。
【００５３】
光源駆動部７００は、タイミング制御部２００の制御によって、光源部６００を駆動する。光源駆動部７００は、光源部６００をグローバルブリンキング（ｇｌｏｂａｌ  ｂｌｉｎｋｉｎｇ）方式で駆動する。例えば、前示パネル４００に、左眼または右眼データフレームに対応する左眼または右眼画像が表示される区間には光を発生し、ブラックデータ電圧に対応するブラック画像が表示される区間には光は遮断される。
【００５４】
メガネ部８００は、左眼部８１０及び右眼部８２０を含む。メガネ部８００は、能動型シャッタメガネ方式または受動型偏光メガネ方式が適用される。左眼部８１０は、左眼画像を透過し右眼画像を遮断して、右眼部８２０は右眼画像を透過し左眼画像を遮断する。
【００５５】
メガネ部８００が偏光メガネ方式である場合、表示装置は表示パネル４００の上に配置された偏光パネル９００をさらに含んでもよい。偏光パネル９００は、表示パネル４００に表示された左眼画像及び右眼画像をそれぞれ違う偏光に変換する。これによって、メガネ部８００の左眼部８１０及び右眼部８２０は、該当する左眼画像及び右眼画像を選択的に透過することができる。  
【００５６】
図２は図１の表示パネルの駆動方法を説明するための波形図である。
【００５７】
図１及び図２を参照すれば、パネル駆動部５００は、タイミング制御部２００から生成された垂直同期信号ＳＴＶ、ゲートクロック信号ＣＰＶ、及びデータイネーブル信号ＤＥなどのタイミング制御信号に基づいて表示パネル４００を駆動する。以下において、表示パネル４００の駆動周波数が２４０Ｈｚで、左眼データフレームはホワイト階調データからなり、右眼データフレームはブラック階調データからなる場合を例に説明する。
【００５８】
データ駆動部５１０は、データイネーブル信号ＤＥに基づいてデータ電圧を表示パネル４００に出力する。データイネーブル信号ＤＥは、第１区間Ｔ１の間は活性化し、第２区間Ｔ２の間は非活性化し、第３区間Ｔ３の間は活性化する。同じ方式で、前記データイネーブルＤＥは、第４区間Ｔ４の間は活性化し、第５区間Ｔ５の間は非活性化し、第６区間Ｔ６の間は活性化する。
【００５９】
データイネーブル信号ＤＥに基づいて、データ駆動部５１０は、表示パネル４００に第１区間Ｔ１の間は、左眼データフレームＬのデータ電圧を出力し、第２区間Ｔ２の間はデータ電圧の出力を遮断し、第３区間Ｔ３の間はブラックデータ電圧Ｂを出力する。データ駆動部５１０は、表示パネル４００に、第４区間Ｔ４の間は右眼データフレームＲのデータ電圧を出力し、第５区間Ｔ５の間はデータ電圧の出力を遮断し、第６区間Ｔ６の間はブラックデータ電圧Ｂを出力する。
【００６０】
ゲート駆動部５３０は、垂直開始信号ＳＴＶ及びゲートクロック信号ＣＰＶに基づいてゲート信号を表示パネル４００に出力する。垂直開始信号ＳＴＶは、ゲート駆動部５３０の動作開始を制御する信号である。従って、前記垂直開始信号ＳＴＶは、前記データイネーブル信号ＤＥが活性化される前記第１区間Ｔ１、前記第３区間Ｔ３、前記第４区間Ｔ４、及び第６区間Ｔ６のそれぞれの開始タイミングにパルスを有する。前記ゲートクロック信号ＣＰＶは、第１〜第ｍゲート信号のそれぞれのパルス幅を制御する。従って、ゲートクロック信号ＣＰＶは、左眼データフレームＬまたは右眼データフレームＲのデータ電圧が出力される第１区間Ｔ１及び第４区間Ｔ４間は、第１水平周期を有し、ブラックデータ電圧Ｂが出力される前記第３区間Ｔ３及び第６区間Ｔ６間は、第１水平周期と異なる第２水平周期を有する。
【００６１】
垂直開始信号ＳＴＶ及びゲートクロック信号ＣＰＶに基づいて、ゲート駆動部５３０は、第１区間Ｔ１の間に第１水平周期に対応する第１パルスを有する第１〜第ｍゲート信号を順次、表示パネル４００に出力する。第２区間Ｔ２の間は、第１〜第ｍゲート信号の出力を遮断したり、または、ローレベルの前記第１〜第ｍゲート信号を出力する。第３区間Ｔ３の間は、第１水平周期より短い第２水平周期に対応する第２パルスを有する前記第１〜第ｍゲート信号の出力する。
【００６２】
ゲート駆動部５３０は、第４区間Ｔ４の間に第１水平周期の第１パルスＰＷ１を有する第１〜第ｍゲート信号を順次に前記表示パネル４００に出力する。前記第５区間Ｔ５の間は前記第１〜第ｍゲート信号の出力を遮断するか、または、ローレベルの前記第１〜第ｍゲート信号を出力する。第６区間Ｔ６の間は前記第２水平周期の第２パルスを有する第１〜第ｍゲート信号を出力する。
【００６３】
第１区間Ｔ１は、第３区間Ｔ３より長くしてもよく、第２区間Ｔ２と第３区間Ｔ３の合計と同じにしてもよく、第２区間Ｔ２と第３区間Ｔ３は同じとしてもよい。第４区間Ｔ４は、第６区間Ｔ６より長くしてもよく、第５区間Ｔ５と第６区間Ｔ６の合計と同じとしてもよく、第５区間Ｔ５と第６区間Ｔ６は同じとしてもよい。
【００６４】
タイミング制御部２００の制御によって、光源駆動部７００は、光源駆動信号ＬＤＳを生成する。光源駆動信号ＬＤＳは光を発生するためのハイレベルを有する画像区間ＯＮと光を遮断するためのローレベルを有するブラック区間ＯＦＦを有する。また、タイミング制御部２００は、左眼制御信号ＬＣＳ及び右眼制御信号ＲＣＳを生成してもよい。左眼制御信号ＬＣＳは、表示パネル４００が左眼画像を表示し、光源部６００が発光する区間にハイレベルを有し、右眼制御信号ＲＣＳは前記表示パネル４００が右眼画像を表示し、光源部６００が発光する区間にハイレベルを有してもよい。
【００６５】
メガネ部８００が能動型シャッタメガネ方式が適用される場合、左眼制御信号ＬＣＳは左眼部８１０のシャッタを制御し、右眼制御信号ＲＣＳは右眼部８２０のシャッタを制御する。これに従って、左眼部８１０は左眼画像を透過して右眼画像を遮断し、前眼部８２０は右眼画像を透過して左眼画像を遮断する。
【００６６】
または、メガネ部８００が受動型偏光メガネ方式が適用される場合、左眼制御信号ＬＣＳ及び右眼制御信号ＲＣＳは、偏光パネル９００を制御する。偏光パネル９００は表示パネル４００の上部に配置され、左眼画像は第１偏光で出射し、右眼画像は第２偏光で出射する。左眼制御信号ＬＣＳは左眼画像を第１偏光で出射するように偏光パネル９００を制御し、右眼制御信号ＲＣＳは、右眼画像を第２偏光で出射するように偏光パネル９００を制御する。これに対応して、メガネ部８００の左眼部８１０は、第１偏光である左眼画像を透過し第２偏光である右眼画像を遮断し、右眼部８２０は第２偏光である右眼画像を透過し第１偏光である左眼画像を遮断する。表示パネル４００は、第１、第２、第３、第４、第５、第６、第７及び第８表示ブロックに区分してもよく、第１、第２、第３、第４、第５、第６、第７及び第８表示ブロックは液晶応答によって第１、第２、第３、第４、第５、第６、第７及び第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を有してもよい。
【００６７】
光源駆動信号ＬＤＳの画像区間ＯＮは、表示パネル４００の第１〜第８駆動波形Ｄ＿ＤＢ１、…、Ｄ＿ＤＢ８に基づき、表示パネル４００に左眼画像または右眼画像が表示される区間に対応してブラック区間ＯＦＦは表示パネル４００にブラック画像が表示される区間に対応する。
【００６８】
第１〜第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を参照すると、第１区間Ｔ１の間に、左眼データフレームのデータ電圧は第１〜第８表示ブロックに順次に印加される。左眼データフレームのデータ電圧が第１〜第８表示ブロックのそれぞれに印加されるタイミングは、第１傾斜角を有する第１傾斜線ＴＬ１に沿って配列することができる。
【００６９】
第２区間Ｔ２の間にデータ駆動部５１０からデータ電圧は出力されない。これに対して、第１〜第８表示ブロックは第１区間Ｔ１の間に印加された左眼データフレームのデータ電圧を維持する。第１〜第８表示ブロックは図示のように、順方向スキャン方向に沿って徐々に減少する第１〜第８維持区間ｈ１、ｈ２、…、ｈ８を有する。
【００７０】
第３区間Ｔ３の間はブラックデータ電圧は、第１〜第８表示ブロックに順次に印加される。ブラックデータ電圧が第１〜第８表示ブロックのそれぞれに印加されるタイミングは、第１傾斜角と異なる第２傾斜角を有する第２傾斜線ＴＬ２に沿って配列される。
【００７１】
例えば、第１維持区間ｈ１は、第２区間Ｔ２と実質的に同一であり、第２維持区間ｈ２は第１維持区間ｈ１より小さく、第３維持区間ｈ３は第２維持区間ｈ２より小さく、第４維持区間ｈ４は第３維持区間ｈ３より小さく、第５維持区間ｈ５は第４維持区間ｈ４より小さく、第６維持区間ｈ６は第５維持区間ｈ５より小さく、第７維持区間ｈ７は第６維持区間ｈ６より小さく、第８維持区間ｈ８は第７維持区間ｈ７より小さい。
【００７２】
第１〜第８維持区間ｈ１、ｈ２、…、ｈ８は、光源駆動信号ＬＤＳの画像区間ＯＮ内に含まれてもよい。
【００７３】
第２区間Ｔ２の間にデータ電圧の出力を遮断しないで、ブラックデータ電圧を出力する表示パネルの駆動方式Ｃ＿ＴＬによれば、液晶応答特性によって、下部領域ＬＡに左眼データフレームのデータ電圧が印加される間に上部領域ＵＡはブラックデータ電圧が印加される。このような場合、光源駆動信号ＬＤＳの前記画像区間ＯＮの間に下部領域ＬＡは、左眼データフレームのデータ電圧が印加される反面、上部領域ＵＡは、ブラックデータ電圧が印加される。これによって、下部領域ＬＡより上部領域ＵＡの輝度が減少する。
【００７４】
しかし、本実施形態によれば、左眼データフレームＬのデータ電圧を維持する維持区間ｈ１、ｈ２、…、ｈ８が画像区間ＯＮ内に含まれる。維持区間ｈ１、ｈ２、…、ｈ８は上部領域ＵＡで最も大きく、下部領域ＬＡに行くにつれて徐々に減少する。即ち、上部領域ＵＡの輝度を下部領域ＬＡに比べて増加させることができる。従って、左眼データフレームＬに対応する左眼画像の輝度を増加させることができる。
【００７５】
続いて、第４区間Ｔ４の間、右眼データフレームのデータ電圧は、第１〜第８表示ブロックに順次に印加される。右眼データフレームのデータ電圧が第１〜第８表示ブロックのそれぞれに印加されるタイミングは、第１傾斜角を有する第３傾斜線ＴＬ３に沿って配列されてもよい。
【００７６】
第５区間Ｔ５の間、データ駆動部５１０からデータ電圧は出力されない。第１〜第８表示ブロックは、第４区間Ｔ４の間に印加された右眼データフレームのデータ電圧を維持する。第１〜第８表示ブロックは図示のように、順方向スキャン方向に沿って徐々に減少する第１〜第８維持区間ｈ１、ｈ２、…、ｈ８を有する。
【００７７】
第６区間Ｔ６の間は前記ブラックデータ電圧は、第１〜第８表示ブロックに順次に印加される。ブラックデータ電圧が前記第１〜第８表示ブロックのそれぞれに印加されるタイミングは第２傾斜角を有する第４傾斜線ＴＬ４を沿って配列されるてもよい。
【００７８】
第１〜第８維持区間ｈ１、ｈ２、…、ｈ８は、光源駆動信号ＬＤＳの画像区間ＯＮ内に含まれてもよい。
【００７９】
右眼データフレームのデータ電圧を維持する維持区間ｈ１、ｈ２、…、ｈ８が画像区間ＯＮ内に含まれる。従って、右眼データフレームＲに対応する右眼画像の輝度を増加させることができる。
【００８０】
本実施形態によれば、表示パネルにデータ電圧の出力を所定の区間の間に遮断して以前に印加されたデータ電圧を維持させることによって３次元画像の輝度を向上させることができる。また、左眼画像と右眼画像との間にブラック画像を挿入することによって３次元画像のクロストークを防止することができる。
【００８１】
一方、表示パネル４００にブラックデータ電圧が印加されるタイミングを示した第２傾斜線ＴＬ２と、右眼データフレームのデータ電圧が印加されるタイミングを示した第３傾斜線ＴＬ３とによれば、ブラックデータ電圧が印加される時間は順方向に沿って第１表示ブロックから第８表示ブロックに行くにつれて徐々に増加する。結果的に、表示パネル４００は順方向スキャン方向に沿って徐々に暗くなっていくブラック画像を表示する。
【００８２】
徐々に変化するブラック画像は、表示パネル４００の上部領域ＵＡ、中部領域ＭＡ及び下部領域ＬＡ間にブラック階調偏差を有する。従って、左眼画像と右眼画像との間に漸進的ブラック画像が挿入されることによって左眼画像及び右眼画像間の階調偏差を引き起こすことができる。
【００８３】
本実施形態に係るタイミング制御部２００は、漸進的ブラック画像に従って、表示パネル４００の上、中、及び下部領域ＵＡ  ＭＡ、ＬＡから発生する左眼データ及び右眼データの階調偏差を補償するためのデータ補正部２１０を含む。
【００８４】
図３は図１の表示パネルの駆動方法を説明するための概念図である。
【００８５】
図３を参照すると、表示パネル４００に左眼データ電圧Ｌまたは右眼データ電圧Ｒが印加される時間は、ブラックデータ電圧Ｂが印加される時間と相異してもよく、このとき、左眼データ電圧Ｌまたは右眼データ電圧Ｒが印加される時間は、ブラックデータ電圧Ｂが印加される時間より大きくしてもよい。また、表示パネル４００に左眼データ電圧Ｌ、ブラックデータ電圧Ｂ、右眼データ電圧Ｒ、及びブラックデータ電圧Ｂが提供されることによって、表示パネル４００にデータ電圧が維持される維持区間の形状は、図３のように示すことができる。
【００８６】
図３を参照すると、左眼データ電圧Ｌ及び右眼データ電圧Ｒのそれぞれの維持区間は、表示パネル４００の上部領域から下部領域に行くにつれて徐々に減少してもよい。図示したように、表示パネル４００の最初の水平ライン１ｓｔ  ＬＩＮＥの維持区間が最も長く、最後の水平ラインＭ−ｔｈ  ＬＩＮＥの維持区間が最も短くしてもよい。
【００８７】
一方、ブラックデータ電圧Ｂの維持区間は、表示パネル４００の上部領域から下部領域に行くにつれて徐々に増加してもよい。図示したように、表示パネル４００の最初の水平ライン１ｓｔ  ＬＩＮＥの維持区間を最も短く、最後の水平ラインＭ−ｔｈ  ＬＩＮＥの維持区間を最も長くしてもよい。
【００８８】
図４は図１のデータ補正部に関するブロック図である。
【００８９】
図２及び図４を参照すれば、タイミング制御部はデータ補正部２１０を含む。データ補正部２１０は、補正制御部２１１、メモリ２１２、及び補正部２１３を含む。
【００９０】
補正制御部２１１は、受信された画像データＧＫに対応する画素の位置が表示パネル４００の何れの空間領域に対応するかを決定する。補正制御部２１１は、決定された前記画像データＧＫの空間領域に基づいて補正部２１３を制御する。
【００９１】
メモリ２１２は、補正制御部２１１の制御によって、受信された画像データＧＫを保存し、受信された画像データＧＫに対応する以前に受信した画像データＧＫ−１が補正部２１３に出力される。
【００９２】
補正部２１３は、表示パネル４００の空間領域の間のブラック階調偏差による画像データの階調偏差を補正するための補正データが空間領域別に保存される。空間領域は、表示パネル４００のスキャン方向によって、区分されてもよい。
【００９３】
例えば、補正部２１３は、上部領域ＵＡに対応する第１補正データが保存された第１ルックアップテーブルＬＵＴ１、中部領域ＭＡに対応する第２補正データが保存された第２ルックアップテーブルＬＵＴ２、及び下部領域ＬＡに対応する第３補正データが保存された第３ルックアップテーブルＬＵＴ３を含む。空間領域は上、中、及び下部領域に限定されず、多様に設定することができる。
【００９４】
左眼画像と右眼画像との間に挿入されるブラック画像は、表示パネル４００の上部領域ＵＡ、中部領域ＭＡから下部領域ＬＡに向かって徐々にブラックの階調が増加するブラック画像である。
【００９５】
例えば、上部領域ＵＡに表示されたブラック画像が３０階調であり、中部領域ＭＡに表示されたブラック画像が２０階調であり、下部領域ＬＡに表示されたブラック画像が１０階調であると仮定する。第１ルックアップテーブルＬＵＴ１は、以前と現在の画像データとの間に挿入された前記３０階調のブラック画像データを考慮した現在の画像データの補正データが保存され、第２ルックアップテーブルＬＵＴ２は、以前と現在の画像データとの間に挿入された２０階調のブラック画像データを考慮した現在の画像データの補正データが保存され、第３ルックアップテーブルＬＵＴ３は、以前と現在の画像データとの間に挿入された前記１０階調のブラック画像データを考慮した現在の画像データの補正データが保存される。
【００９６】
例えば、現在の画像データＧｋが２００階調のデータであり、以前の画像データＧｋ−１が２００階調である場合、上部領域ＵＡでは３０階調のブラック画像が考慮された２１０階調の補正データＧ’ｋに補正され、中部領域ＭＡでは前記３０階調より低い２０階調のブラック画像が考慮された２２０階調の補正データＧ’ｋに補正され、下部領域ＬＡでは２０階調より低い１０階調のブラック画像が考慮された２３０階調の補正データＧ’ｋに補正される。即ち、低階調のブラック画像が表示される下部領域ＬＡを高階調のブラック画像が表示される上部領域ＵＡに比べて過駆動（ｏｖｅｒ−ｄｒｉｖｉｎｇ）する。
【００９７】
このような方式でデータ補正部２１０は、徐々に変化するブラック画像による左眼画像と右眼画像と間の階調偏差を補正することができる。
【００９８】
図５及び図６は、図１に示したゲート駆動部の駆動方法を説明するためのタイミング図である。
【００９９】
図５は、図１の第１区間Ｔ１または第４区間Ｔ４の間のゲート駆動部の入出力信号の波形図である。
【０１００】
図２及び図５を参照すると、タイミング制御部２００は、第１区間Ｔ１または第４区間Ｔ４の間、第１水平周期Ｈ１を有する第１ゲートクロック信号ＣＰＶ１及び第２ゲート信号ＣＰＶ２を生成する。第１及び第２ゲートクロック信号ＣＰＶ１、ＣＰＶ１は、遅延差を有する互いに異なる信号である。
【０１０１】
ゲート駆動部５３０は、第１ゲートクロック信号ＣＰＶ１に基づいて奇数番目ゲート信号Ｇ１、Ｇ３、…を出力し、第２ゲートクロック信号ＣＰＶ２に基づいて偶数番目ゲート信号Ｇ２、Ｇ４、…、Ｇｍを出力する。
【０１０２】
第１〜第ｍゲート信号Ｇ１、Ｇ２、…、Ｇｍの各々は、第１水平周期Ｈ１に対応する第１パルスＰＷ１を有する。
【０１０３】
図６は、図１の第３区間Ｔ３または第６区間Ｔ６の間のゲート駆動部の入出力信号の波形図である。
【０１０４】
図２及び図６を参照すると、タイミング制御部２００は、第３区間Ｔ３または第６区間Ｔ６の間、第１水平周期Ｈ１より短い第２水平周期Ｈ２を有する第１ゲートクロック信号ＣＰＶ１及び第２ゲート信号ＣＰＶ２を生成する。第１及び第２ゲートクロック信号ＣＰＶ１、ＣＰＶ１は、遅延差を有する互いに異なる信号である。
【０１０５】
ゲート駆動部５３０は、第１ゲートクロック信号ＣＰＶ１に基づいて奇数番目ゲート信号Ｇ１、Ｇ３、…を出力し、第２ゲートクロック信号ＣＰＶ２に基づいて偶数番目ゲート信号Ｇ２、Ｇ４、…、Ｇｍを出力する。
【０１０６】
第１〜第ｍゲート信号Ｇ１、Ｇ２、…、Ｇｍの各々は、第２水平周期Ｈ２に対応し、第１パルスＰＷ１より小さな第２パルスＰＷ２を有する。
【０１０７】
図５及び図６を参照すれば、左眼または右眼データフレームのデータ電圧が表示パネル４００に出力される第１区間Ｔ１または第４区間Ｔ４の間はゲート駆動部５３０は、第１水平周期Ｈ１に対応する第１パルスＰＷ１を有する第１〜第ｍゲート信号Ｇ１、Ｇ２、…、Ｇｍを出力する。
【０１０８】
一方、ブラックデータが表示パネル４００に出力される第３区間Ｔ３または第６区間Ｔ６の間はゲート駆動部５３０は第１水平周期Ｈ１より短い第２水平周期Ｈ２に対応して、第１パルスＰＷ１より小さな第２パルスＰＷ２を有する第１〜第ｍゲート信号Ｇ１、Ｇ２、…、Ｇｍを出力する。
【０１０９】
これによって、第１区間Ｔ１または第４区間Ｔ４より短い第３区間Ｔ３または第６区間Ｔ６の間は表示パネル４００にブラックデータ電圧を提供することができる。
【０１１０】
本実施形態によれば、ブラックデータ電圧が印加される区間を、左眼または右眼データフレームのデータ電圧が印加される区間に対して約１／２、１／３、１／４など、多様に減らすことができる。
【０１１１】
図７は、図１に示したゲート駆動部の他の実施形態に係る駆動方法を説明するためのタイミング図である。
【０１１２】
図７は、ブラックデータ電圧が表示パネル４００に出力される第３区間Ｔ３または第６区間Ｔ６の間のゲート駆動部の入出力信号の波形図である。
【０１１３】
本実施形態によれば、左眼または右眼データフレームのデータ電圧が表示パネル４００に出力される第１区間Ｔ１または第４区間Ｔ４の間はゲート駆動部は第３水平周期Ｈ３を有する互いに異なる第１ゲートクロック信号ＣＰＶ１及び第２ゲート信号ＣＰＶ２を用いて前記第３水平周期Ｈ３に対応する第３パルスＰＷ３を有する第１〜第ｍゲート信号Ｇ１、Ｇ２、…、Ｇｍを順次に出力する。第３パルスＰＷ３は、第１パルスＰＷ１と同じであるか、または、小さくしてもよい。
【０１１４】
一方、タイミング制御部２００は、第３区間Ｔ３または第６区間Ｔ６の間は第１水平周期Ｈ１と同じであるか、または、短い第３水平周期Ｈ３を有する第１ゲートクロック信号ＣＰＶ１及び第２ゲート信号ＣＰＶ２を生成する。第１及び第２ゲートクロック信号ＣＰＶ１、ＣＰＶ２は、実質的に同じ信号であってもよい。第１及び第２ゲートクロック信号ＣＰＶ１、ＣＰＶ２のそれぞれは、ハイレベルを有するハイ区間とローレベルを有するロー区間を含み、ハイ区間と前記ロー区間は、互いに同じであってもよい。
【０１１５】
ゲート駆動部５３０は、第１ゲートクロック信号ＣＰＶ１に基づいて奇数番目ゲート信号Ｇ１、Ｇ３、…を出力し、第２ゲートクロック信号ＣＰＶ２に基づいて偶数番目ゲート信号Ｇ２、Ｇ４、…、Ｇｍを出力する。
【０１１６】
第１及び第２ゲートクロック信号ＣＰＶ１、ＣＰＶ２が互いに同一であることによって、隣接した奇数番目及び偶数番目ゲート信号Ｇ１、Ｇ２は、互いに同一である。同じゲート信号が印加された隣接した２つのゲートラインは同時に活性化される。
【０１１７】
表示パネル４００に、第１〜第ｍゲート信号Ｇ１、Ｇ２、…、Ｇｍが活性化するフレーム区間は、図５に比べて約１／２に減らすことができる。
【０１１８】
これによって、第１区間Ｔ１または第４区間Ｔ４より短い第３区間Ｔ３または第６区間Ｔ６の間は表示パネル４００にブラックデータ電圧を提供することができる。
【０１１９】
本実施形態では、記ブラックデータ電圧が印加される区間を、２つのゲートラインに同じゲート信号を提供することによって、左眼または右眼データフレームを含む３次元画像データのデータ電圧が印加される区間に対して約１／２に減らすことを説明したが、これに限定されない。例えば、ブラックデータ電圧が印加される区間に、隣接した３つのゲートラインに同じゲート信号を提供する場合は約１／３に減らすことができ、隣接した４つのゲートラインに同じゲートを信号を提供する場合には、約１／４に減らすことができる。
【０１２０】
図８は、本発明の他の実施形態に係る表示パネルの駆動方法を説明するための概念図である。図９は、図８に示した表示パネルの駆動方法を説明するための波形図である。
【０１２１】
図２及び図８を参照すれば、本実施形態に係る表示パネルの駆動方法は、順方向スキャンモードと逆方向スキャンモードとを交互に駆動する方法を含む。
【０１２２】
タイミング制御部２００は、順方向スキャンモードでパネル駆動部５００を制御する。パネル駆動部５００は、順方向スキャン方向によって、第Ｍソース画像データ（Ｍは自然数）に対応する第Ｍ左眼データフレームＬＭ及び第Ｍ右眼データフレームＲＭを表示パネル４００に表示する。
【０１２３】
データ駆動部５１０は、順方向スキャン方向に沿って、表示パネル４００の第１水平ラインから第ｍ水平ラインまで、順次に第Ｍ左眼データフレームＬＭ及び第Ｍ右眼データフレームＲＭのデータ電圧を出力する。ゲート駆動部５３０は、図５、図６、及び図７で説明したように、第１ゲートラインに対応する第１ゲート信号Ｇ１から第ｍゲートラインに対応する第ｍゲート信号Ｇｍまで順次に出力する。
【０１２４】
結果的に、第Ｍ左眼データフレームＬＭは第１傾斜線ＴＬ１及び第２傾斜線ＴＬ２によって画定された区間の間は表示パネル４００に印加され、ブラックデータ電圧は第２傾斜線ＴＬ２及び第３傾斜線ＴＬ３により画定された区間の間は前記表示パネル４００に印加され、同じ方式で第Ｍ右眼データフレームＲＭは第１傾斜線ＴＬ１と同じく平行した第３傾斜線ＴＬ３及び第２傾斜線ＴＬ２と平行した第４傾斜線ＴＬ４によって画定された区間の間は表示パネル４００に印加され、ブラックデータ電圧は第４傾斜線ＴＬ４及び第３傾斜線ＴＬ３と平行した第５傾斜線ＴＬ５によって画定された区間の間は表示パネル４００に印加される。
【０１２５】
図示したように、ブラックデータ電圧が表示パネル４００に提供される時間は、順方向に沿って表示パネル４００の上、中、及び下部領域に行くにつれて徐々に増加する。
【０１２６】
以後、タイミング制御部２００は、逆方向スキャンモードでパネル駆動部５００を制御する。パネル駆動部５００は、逆方向スキャン方向に沿って、第Ｑソース画像データ（Ｑは自然数）に対応する第Ｑ左眼データフレームＬＱ及び第Ｑ右眼データフレームＲＱを前記表示パネル４００に表示する。
【０１２７】
データ駆動部５１０は、逆方向スキャン方向に沿って表示パネル４００の第ｍ水平ラインから第１水平ラインまで順次に第Ｑ左眼データフレームＬＱ及び第Ｑ右眼データフレームＲＱのデータ電圧を出力する。ゲート駆動部５３０は、第ｍゲートラインに対応する第ｍゲート信号Ｇｍから第１ゲートラインに対応する第１ゲート信号Ｇ１まで順次に出力する。
【０１２８】
図５を参照すれば、ゲート駆動部５３０は、左眼及び右眼データフレームのデータ電圧が出力される区間の間、第１水平周期Ｈ１に対応する第１パルスＰＷ１を有するゲート信号を逆方向に沿って順次に、第ｍゲート信号Ｇｍから第１ゲート信号Ｇ１を出力する。
【０１２９】
または、図６を参照すれば、ゲート駆動部５３０は、ブラックデータ電圧が出力される区間の間、第２水平周期Ｈ２に対応する第２パルスＰＷ２を有するゲート信号を逆方向に沿って順次に、第ｍゲート信号Ｇｍから第１ゲート信号Ｇ１を出力する。
【０１３０】
または、図７を参照すれば、ゲート駆動部５３０は、ブラックデータ電圧が出力される区間の間、第３水平周期Ｈ３に対応する第３パルスＰＷ３を有するゲート信号を逆方向に沿って少なくとも２つの隣接したゲートラインに順次に出力する。
【０１３１】
図８及び図９を参照すると、表示パネル４００の第１、第２、第３、第４、第５、第６、第７及び第８表示ブロックは、逆方向スキャンモードによって、第１、第２、第３、第４、第５、第６、第７及び第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を有してもよい。
【０１３２】
第１〜第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を参照すると、第１区間Ｔ１の間は左眼データフレームのデータ電圧は前記第８表示ブロックから第１表示ブロックまで順次に印加される。第１傾斜線ＴＬ１が正の第１傾斜角を有する場合、左眼データフレームのデータ電圧は負の第１傾斜角を有する負の第１傾斜線−ＴＬ１に沿うタイミングに印加してもよい。
【０１３３】
第２区間Ｔ２の間はデータ駆動部５１０からデータ電圧が出力されないので、第８表示ブロックから第１表示ブロックまでは第１区間Ｔ１の間に印加されたデータ電圧を維持する。第８〜第１表示ブロックは図示したように、逆方向に沿って徐々に減少する第８〜第１維持区間ｈ８、ｈ７、…、ｈ１を有する。
【０１３４】
第３区間Ｔ３の間はブラックデータ電圧は、第８表示ブロックから第１表示ブロックまで順次に印加される。第２傾斜線ＴＬ２が正の第２傾斜角を有する場合、ブラックデータ電圧は、負の第２傾斜角を有する負の第２傾斜線−ＴＬ２に沿うタイミングに印加されてもよい。
【０１３５】
例えば、第８維持区間ｈ８は、第２区間Ｔ２と実質的に同一であり、第７維持区間ｈ７は第８維持区間ｈ８より小さく、第６維持区間ｈ６は第７維持区間ｈ７より小さく、第５維持区間ｈ５は第６維持区間ｈ６より小さく、第４維持区間ｈ４は第５維持区間ｈ５より小さく、第３維持区間ｈ３は第４維持区間ｈ４より小さく、第２維持区間ｈ２は第３維持区間ｈ３より小さく、第１維持区間ｈ１は第２維持区間ｈ２より小さい。
【０１３６】
第８〜第１維持区間ｈ８、ｈ７、…、ｈ１は、光源部７００の前記画像区間ＯＮ内に含まれる。画像区間ＯＮ内に含まれた前記第８〜第１維持区間ｈ８、ｈ７、…、ｈ１によって３次元画像の輝度を向上させることができる。
【０１３７】
一方、第４区間Ｔ４の間は右眼データフレームのデータ電圧は、第８表示ブロックから第１表示ブロックまで順次に印加される。右眼データフレームのデータ電圧は、負の第１傾斜線−ＴＬ１と平行した負の第３傾斜線−ＴＬ３に沿うタイミングに印加されてもよい。
【０１３８】
第５区間Ｔ５の間はデータ駆動部５１０からデータ電圧が出力されないので、第８表示ブロックから第１表示ブロックまでは第４区間Ｔ４の間に印加されたデータ電圧を維持する。
【０１３９】
第６区間Ｔ６の間は前記ブラックデータ電圧は、第８表示ブロックから第１表示ブロックまで順次に印加される。ブラックデータ電圧は負の第２傾斜線−ＴＬ２と平行した負の第４傾斜線−ＴＬ４に沿うタイミングに印加されてもよい。
【０１４０】
第Ｑ左眼データフレームＬＱは、負の第１傾斜線−ＴＬ１及び第２傾斜線−ＴＬ２によって画定された区間の間は前記表示パネル４００に印加され、ブラックデータ電圧は負の第２傾斜線−ＴＬ２及び第３傾斜線−ＴＬ３によって画定された区間の間は表示パネル４００に印加され、同じ方式で第Ｑ右眼データフレームＲＱは、負の第３傾斜線−ＴＬ３及び負の第４傾斜線−ＴＬ４によって画定された区間の間に表示パネル４００に印加され、ブラックデータ電圧は負の第４傾斜線−ＴＬ４及び負の第５傾斜線−ＴＬ５によって画定された区間の間に前記表示パネル４００に印加される。
【０１４１】
順方向スキャンモード時にブラックデータ電圧が表示パネル４００に印加される区間Ｂと、逆方向スキャンモード時に前記ブラックデータ電圧が表示パネル４００に印加される区間Ｂは、上下対称構造を有する。即ち、順方向スキャンモードではブラックデータ電圧の印加時間が順方向に徐々に増加し、逆方向スキャンモードではブラックデータ電圧の印加時間が逆方向に徐々に増加する構造を有する。
【０１４２】
従って、順方向スキャンモード時に表示パネル４００の上、中、及び下部領域間に発生したブラック画像の階調偏差と、逆方向スキャンモード時に表示パネル４００の上、中、及び下部領域間に発生したブラック画像の階調偏差は、互いに補って結果的にブラック画像の階調偏差を除去することができる。
【０１４３】
本実施形態では、説明したデータ補正部を省略し、表示パネル４００を順方向スキャンモード及び逆方向スキャンモードで交互に駆動させることによってブラック画像の階調偏差を除去することができる。
【０１４４】
本実施形態によれば、表示パネルにデータ電圧の出力を所定の区間の間遮断し、以前に印加されたデータ電圧を維持することによって３次元画像の輝度を向上させることができる。また、左眼画像と右眼画像との間にブラック画像を挿入することによって３次元画像のクロストークを防止することができる。
【０１４５】
図１０は、本発明の他の実施形態に係る表示パネルの駆動方法を説明するための概念図である。
【０１４６】
図１及び図１０を参照すれば、表示パネル４００の第１、第２、第３、第４、第５、第６、第７及び第８表示ブロックは、順方向スキャンモードによって、第１、第２、第３、第４、第５、第６、第７及び第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を有することができる。
【０１４７】
第１〜第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を参照すると、第１区間Ｔ１の間に前記左眼データフレームＬのデータ電圧は、前記第１表示ブロックから第８表示ブロックまで順次に印加される。左眼データフレームＬのデータ電圧は、正の第１傾斜角を有する正の第１傾斜線ＴＬ１に沿うタイミングに印加されてもよい。
【０１４８】
第２区間Ｔ２の間、データ駆動部５１０からデータ電圧は出力されない。本実施形態に係る第２区間Ｔ２は、第１表示ブロックから第８表示ブロックまで左眼データフレームＬのデータ電圧が印加される時間を設ける。第２区間Ｔ２は、前記第１区間Ｔ１と同じであってもよい。
【０１４９】
第３区間Ｔ３の間ブラックデータ電圧は、第１表示ブロックから第８表示ブロックに一括に印加される。第３区間Ｔ３は、表示パネル４００の１つの水平ラインが駆動される水平周期と同じであるか、または、大きくしてもよい。例えば、第３区間Ｔ３の間にデータ駆動部５１０は、ブラックデータ電圧を出力し、ゲート駆動部５３０は前記表示パネル４００の第１〜第ｍゲートラインに同じパルスを有するゲート信号を同時に出力する。これによって、第３区間Ｔ３の間に前記ブラックデータ電圧は、表示パネル４００に一括に印加される。ブラックデータ電圧は、実質的に垂直の第２傾斜線ＴＬ２に沿うタイミングに印加されてもよい。
【０１５０】
ブラックデータ電圧が一括に印加される前、データ電圧が出力されない第２区間Ｔ２によって、第１〜第８表示ブロックは順方向スキャンモードに従って徐々に減少する第１〜第８維持区間ｈ１、ｈ２、…、ｈ８を有する。以後、ブラックデータ電圧が一括に印加されることに従って、第５〜第８表示ブロックには前記ブラックデータ電圧が印加される。
【０１５１】
第１〜第８維持区間ｈ１、ｈ２、…、ｈ８は、光源部７００の画像区間ＯＮ内に含まれ、これによって、上部領域ＵＡの輝度を下部領域ＬＡに比べて増加させることができる。結果的に、左眼データフレームに対応する左眼画像の輝度を向上させることができる。
【０１５２】
第４区間Ｔ４の間に右眼データフレームのデータ電圧は、第１〜第８表示ブロックに順次に印加される。右眼データフレームのデータ電圧が第１〜第８表示ブロックのそれぞれに印加されるタイミングは、正の第１傾斜角を有する正の第３傾斜線ＴＬ３に沿って配列される。
【０１５３】
第５区間Ｔ５の間に、データ駆動部５１０からデータ電圧は出力されない。本実施形態に係る第５区間Ｔ５は、第１表示ブロックから第８表示ブロックまで右眼データフレームＲのデータ電圧が印加される時間を有する。
【０１５４】
以後、第６区間Ｔ６の間ブラックデータ電圧は、第１表示ブロックから第８表示ブロックに一括に印加される。第６区間Ｔ６は、表示パネル４００の１の水平ラインが駆動される水平周期と同じであるか、または、大きくしてもよい。例えば、第６区間Ｔ６の間にデータ駆動部５１０は、ブラックデータ電圧を出力し、ゲート駆動部５３０は表示パネル４００の第１〜第ｍゲートラインに同じパルスを有するゲート信号を同時に出力する。これによって、ブラックデータ電圧は、表示パネル４００に第６区間Ｔ６の間、一括に印加される。ブラックデータ電圧は実質的に垂直する第４傾斜線ＴＬ４に沿うタイミングに印加されてもよい。
【０１５５】
ブラックデータ電圧が一括に印加される前、データ電圧が出力されない第２区間Ｔ２によって、第１〜第８表示ブロックは順方向スキャンモードに従って徐々に減少する第１〜第８維持区間ｈ１、ｈ２、…、ｈ８を有する。以後、ブラックデータ電圧が一括に印加されることに従って、第１〜第８表示ブロックには前記ブラックデータ電圧が印加される。
【０１５６】
第１〜第８維持区間ｈ１、ｈ２、…、ｈ８は、光源部７００の画像区間ＯＮ内に含まれて、右眼データフレームに対応する左眼画像の輝度を向上させることができる。
【０１５７】
表示パネル４００にブラックデータ電圧が印加されるタイミングを示した第２傾斜線ＴＬ２と右眼データフレームのデータ電圧が印加されるタイミングを示した第３傾斜線ＴＬ３によれば、ブラックデータ電圧が印加される時間は、第１表示ブロックから第８表示ブロックに行くにつれて徐々に増加する。表示パネル４００は徐々に変化するブラック画像を表示する。
【０１５８】
徐々に変化するブラック画像は、表示パネル４００の上部領域ＵＡ、中部領域ＭＡ、及び下部領域ＬＡ間にブラック階調偏差を有する。従って、左眼画像と右眼画像との間に徐々に変化するブラック画像が挿入されることによって左眼画像及び右眼画像間の階調偏差を引き起こすことができる。
【０１５９】
本実施形態によれば、タイミング制御部２００は、図４で説明されたように、徐々に変化するブラック画像の挿入により表示パネル４００の上部領域ＵＡ、中部領域ＭＡ、及び下部領域ＬＡで発生する３次元画像データである、左眼データ及び右眼データの階調偏差を補償するためのデータ補正部２１０を含んでもよい。データ補正部２１０に対する詳細な説明は省略する。
【０１６０】
本実施形態によれば、表示パネルにデータ電圧の出力を所定の区間の間遮断し、以前に印加されたデータ電圧を維持させることによって３次元画像の輝度を向上させることができる。また、左眼画像と右眼画像との間にブラック画像を挿入することによって３次元画像のクロストークを防止することができる。
【０１６１】
図１１は本発明の他の実施形態に係る表示パネルの駆動方法を説明するための概念図である。図１２は図１１に示した表示パネルの駆動方法を説明するための波形図である。
【０１６２】
図１１及び図１２を参照すると、本実施形態に係る表示パネルの駆動方法は、順方向スキャンモードと逆方向スキャンモードを交互に駆動する方法を含む。
【０１６３】
タイミング制御部２００は、順方向スキャンモードでパネル駆動部５００を制御する。パネル駆動部５００は、順方向スキャン方向に沿って第Ｍソース画像データ（Ｍは自然数）に対応する第Ｍ左眼データフレームＬＭ及び第Ｍ右眼データフレームＲＭを表示パネル４００に表示する。
【０１６４】
第Ｍ左眼データフレームＬＭは、第１傾斜線ＴＬ１及び第２傾斜線ＴＬ２により画定された区間の間に表示パネル４００に印加され、ブラックデータ電圧は、第２傾斜線ＴＬ２及び第３傾斜線ＴＬ３によって画定された区間の間に表示パネル４００に印加され、同じ方式で第Ｍ右眼データフレームＲＭは第１傾斜線ＴＬ１と同じく平行した第３傾斜線ＴＬ３、並びに、第２傾斜線ＴＬ２と平行した第４傾斜線ＴＬ４によって画定された区間の間に表示パネル４００に印加され、ブラックデータ電圧は、第４傾斜線ＴＬ４及び第３傾斜線ＴＬ３と平行した第５傾斜線ＴＬ５によって画定された区間の間に表示パネル４００に印加される。
【０１６５】
図示したように、ブラックデータ電圧Ｂが表示パネル４００に提供される時間は、順方向スキャン方向に沿って表示パネル４００の上部領域、中部領域、及び下部領域に行くにつれて徐々に増加する。
【０１６６】
以後、タイミング制御部２００は、逆方向スキャンモードでパネル駆動部５００を制御する。パネル駆動部５００は逆方向スキャン方向に沿って第Ｑソース画像データ（Ｑは自然数）に対応する第Ｑ左眼データフレームＬＱ及び第Ｑ右眼データフレームＲＱを表示パネル４００に表示する。
【０１６７】
図１２を参照すれば、第１〜第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を参照すると、第１区間Ｔ１の間に左眼データフレームＬのデータ電圧は、第８表示ブロックから第１表示ブロックまで順次に印加される。左眼データフレームＬのデータ電圧は、負の第１傾斜角を有する負の第１傾斜線−ＴＬ１に沿うタイミングに印加されてもよい。
【０１６８】
第２区間Ｔ２の間、データ駆動部５１０からデータ電圧は出力されない。本実施形態に係る第２区間Ｔ２は第１表示ブロックから第８表示ブロックまで前記左眼データフレームＬのデータ電圧が印加される時間を有する。第２区間Ｔ２は前記第１区間Ｔ１と同じであってもよい。
【０１６９】
第３区間Ｔ３の間、ブラックデータ電圧Ｂは、第１表示ブロックから第８表示ブロックまで一括に印加される。ブラックデータ電圧Ｂは実質的に垂直な第２傾斜線ＴＬ２に沿うタイミングに印加されてもよい。例えば、第３区間Ｔ３は、前記表示パネル４００の１の水平ラインが駆動される水平周期と同じであるか、または、大きくてもよい。
【０１７０】
第４区間Ｔ４の間に右眼データフレームＲのデータ電圧は、第８表示ブロックから第１表示ブロックまで順次に印加される。右眼データフレームＲのデータ電圧は、負の第３傾斜線−ＴＬ３に沿うタイミングに印加されてもよい。
【０１７１】
第５区間Ｔ５の間、前記データ駆動部５１０からデータ電圧は出力されない。本実施形態に係る第５区間Ｔ５は、第１表示ブロックから第８表示ブロックまで右眼データフレームＲのデータ電圧が印加される時間を有する。第５区間Ｔ５は前記第４区間Ｔ４と同じであってもよい。
【０１７２】
第６区間Ｔ６の間、ブラックデータ電圧Ｂは第１表示ブロックから第８表示ブロックまで一括に印加される。ブラックデータ電圧は実質的に垂直な第４傾斜線ＴＬ４に沿うタイミングに印加されてもよい。例えば、第６区間Ｔ６は表示パネル４００の１の水平ラインが駆動される水平周期と同じであるか、または、大きくてもよい。
【０１７３】
図１１及び図１２を参照すると、逆方向スキャンモードによって、第Ｑ左眼データフレームＬＱは負の第１傾斜線−ＴＬ１及び第２傾斜線ＴＬ２によって画定された区間の間は前記表示パネル４００に印加され、ブラックデータ電圧Ｂは第２傾斜線ＴＬ２及び負の第３傾斜線−ＴＬ３によって画定された区間の間は表示パネル４００に印加され、同じ方式で第Ｑ右眼データフレームＲＱは負の第３傾斜線−ＴＬ３及び第４傾斜線ＴＬ４によって画定された区間の間に表示パネル４００に印加され、ブラックデータ電圧Ｂは第４傾斜線ＴＬ４及び負の第５傾斜線−ＴＬ５によって画定された区間の間は表示パネル４００に印加される。
【０１７４】
順方向スキャンモード時にブラックデータ電圧が表示パネル４００に印加される区間と、逆方向スキャンモード時にブラックデータ電圧が表示パネル４００に印加される区間は、上下対称構造を有する。即ち、順方向スキャンモードでは前記ブラックデータ電圧の印加時間が順方向に徐々に増加し、逆方向スキャンモードではブラックデータ電圧の印加時間が逆方向に徐々に増加する構造を有する。
【０１７５】
従って、順方向スキャンモード時において、表示パネル４００の上部領域、中部領域、及び下部領域間に発生したブラック画像の階調偏差と、逆方向スキャンモード時において、表示パネル４００の上部領域、中部領域、及び下部領域間に発生したブラック画像の階調偏差は互いに補い結果的にブラック画像の階調偏差が除去される。
【０１７６】
本実施形態では表示パネル４００を順方向スキャンモード及び逆方向スキャンモードで交互に駆動させることによってブラック画像の階調偏差を除去することができる。
【０１７７】
本実施形態によれば、表示パネルにデータ電圧の出力を所定の区間の間遮断し、以前に印加されたデータ電圧を維持することによって３次元画像の輝度を向上させることができる。また、左眼画像と右眼画像との間にブラック画像を挿入することによって３次元画像のクロストークを防止することができる。
【０１７８】
図１３は発明の他の実施形態に係る表示パネルの駆動方法を説明するための概念図である。
【０１７９】
図１及び図１３を参照すれば、本実施形態に係るパネル駆動部５００は、前記反復部３００に提供された少なくとも２つの第１及び第２左眼データフレームＬ１、Ｌ２、並びに、少なくとも２つの第１及び第２右眼データフレームＲ１、Ｒ２を表示パネル４００に順次に出力する。第２左眼データフレームＬ２は、第１左眼データフレームＬ１と同じであるか、または、第１左眼データフレームＬ１を用いて生成されてもよい。第２右眼データフレームＲ２は、第１右眼データフレームＲ１と同じであるか、または、第１右眼データフレームＲ１を用いて生成されてもよい。データ駆動部５１０はデータイネーブル信号ＤＥに基づいて、表示パネル４００に第１区間Ｔ１の間第１左眼データフレームＬ１のデータ電圧を出力し、第２区間Ｔ２の間データ電圧の出力を遮断し、第３区間Ｔ３の間第２左眼データフレームＬ２のデータ電圧を出力する。続いて、データ駆動部５１０は、表示パネル４００に第４区間Ｔ４の間第１右眼データフレームＲ１のデータ電圧を出力し、第５区間Ｔ５の間データ電圧の出力を遮断し、第６区間Ｔ６の間第２右眼データフレームＲ２のデータ電圧を出力する。
【０１８０】
ゲート駆動部５３０は、垂直開始信号ＳＴＶ及びゲートクロック信号ＣＰＶに基づいてゲート信号を表示パネル４００に出力する。垂直開始信号ＳＴＶは前記ゲート駆動部５３０の動作開始を制御する信号である。従って、垂直開始信号ＳＴＶは、データイネーブル信号ＤＥが活性化する第１区間Ｔ１、第３区間Ｔ３、第４区間Ｔ４、及び第６区間Ｔ６のそれぞれの開始タイミングにパルスを有する。ゲートクロック信号ＣＰＶは、第１〜第ｍゲート信号の各々のパルス区間を制御する。従って、ゲートクロック信号ＣＰＶは、第１左眼または第１右眼データフレームのデータ電圧が出力される第１区間Ｔ１及び第４区間、Ｔ４の間は第１水平周期を有し、第２左眼または第２右眼データフレームのデータ電圧が出力される前記第３区間Ｔ３及び第６区間Ｔ６の間は第１水平周期と異なる第２水平周期を有する。
【０１８１】
垂直開始信号ＳＴＶ及びゲートクロック信号ＣＰＶに基づいて、ゲート駆動部５３０は、第１区間Ｔ１の間は前記第１〜第ｍゲート信号を順次に表示パネル４００に出力し、第２区間Ｔ２の間は前記第１〜第ｍゲート信号の出力を遮断し、第３区間Ｔ３の間は第１〜第ｍゲート信号の出力する。続いて、ゲート駆動部５３０は、第４区間Ｔ４の間は第１〜第ｍゲート信号を順次に表示パネル４００に出力し、第５区間Ｔ５の間は第１〜第ｍゲート信号の出力を遮断し、第６区間Ｔ６の間は前記第１〜第ｍゲート信号を出力する。
【０１８２】
第１区間Ｔ１は、第３区間Ｔ３より長くしてもよく、第２区間Ｔ２と第３区間Ｔ３との合計と同じであってもよく、第２区間Ｔ２と第３区間Ｔ３は、同じであってもよい。第４区間Ｔ４は、第６区間Ｔ６より長いことができ、第５区間Ｔ５と第６区間Ｔ６との合計と同じであってもよく、第５区間Ｔ５と第６区間Ｔ６は同じであってもよい。
【０１８３】
タイミング制御部２００の制御によって、光源駆動部７００は光源駆動信号ＬＤＳを生成する。光源駆動信号ＬＤＳは、光を発生する画像区間ＯＮと光を遮断するブラック区間ＯＦＦを有する。光源駆動信号ＬＤＳの画像区間ＯＮは表示パネル４００の第１〜第８駆動波形Ｄ＿ＤＢ１、…、Ｄ＿ＤＢ８に基づいて表示パネル４００に左眼または右眼画像が表示される区間に対応し、ブラック区間ＯＦＦは、表示パネル４００に左眼及び右眼画像が混在した混在画像が表示される区間に対応する。
【０１８４】
第１〜第８駆動波形Ｄ＿ＤＢ１、Ｄ＿ＤＢ２、Ｄ＿ＤＢ３、Ｄ＿ＤＢ４、Ｄ＿ＤＢ５、Ｄ＿ＤＢ６、Ｄ＿ＤＢ７、Ｄ＿ＤＢ８を参照すると、第１区間Ｔ１の間に、第１左眼データフレームＬ１のデータ電圧は第１〜第８表示ブロックに順次に印加される。第１左眼データフレームＬ１のデータ電圧が第１〜第８表示ブロックのそれぞれに印加されるタイミングは第１傾斜角を有する第１傾斜線ＴＬ１に沿って配列されてもよくい。第２区間Ｔ２の間、データ駆動部５１０からデータ電圧は出力されないので、第１〜第８表示ブロックは第１区間Ｔ１の間に印加されたデータ電圧を維持する。
【０１８５】
第３区間Ｔ３の間は、第２左眼データフレームＬ２のデータ電圧は、第１〜第８表示ブロックに順次に印加される。第２左眼データフレームＬ２のデータ電圧が前記第１〜第８表示ブロックのそれぞれに印加されるタイミングは第１傾斜角と異なる第２傾斜角を有する第２傾斜線ＴＬ２に沿って配列されてもよい。
【０１８６】
一方、第４区間Ｔ４の間に第１右眼データフレームＲ１のデータ電圧は第１〜第８表示ブロックに順次に印加される。第１右眼データフレームＲ１のデータ電圧が第１〜第８表示ブロックのそれぞれに印加されるタイミングは、第１傾斜角を有する第３傾斜線ＴＬ３に沿って配列されてもよい。
【０１８７】
第５区間Ｔ５の間、データ駆動部５１０からデータ電圧は出力されないので、第１〜第８表示ブロックは第４区間Ｔ４の間に印加されたデータ電圧を維持する。
【０１８８】
第６区間Ｔ６の間、第２右眼データフレームＲ２のデータ電圧は、第１〜第８表示ブロックに順次に印加される。第２右眼データフレームＲ２のデータ電圧が第１〜第８表示ブロックのそれぞれに印加されるタイミングは、第２傾斜角を有する第４傾斜線ＴＬ４に沿って配列されてもよい。
【０１８９】
光源駆動信号ＬＤＳは、表示パネル４００の第１〜第８駆動波形Ｄ＿ＤＢ１、…、Ｄ＿ＤＢ８に基づいて表示パネル４００に左眼または右眼画像が表示される区間、即ち、画像区間ＯＮに、ハイレベルを有する。光源駆動信号ＬＤＳは、表示パネル４００の第１〜第８駆動波形Ｄ＿ＤＢ１、…、Ｄ＿ＤＢ８に基づいて表示パネル４００に左眼及び右眼画像が混在する区間、即ち、ブラック区間ＯＦＦに、ローレベルを有する。
【０１９０】
これによって、光源部６００は左眼または右眼画像が表示される区間に表示パネル４００に光を提供する。左眼及び右眼画像が混在する区間に表示パネル４００に光を遮断し３次元画像のクロストークを防止することができる。
【０１９１】
図１４は本発明の実施形態に係る表示パネルの駆動方法を説明するための概念図である。
【０１９２】
図１４を参照すれば、表示パネル４００に第１左眼データ電圧Ｌ１が印加される時間は第２左眼データ電圧Ｌ２が印加される時間と異なってもよく、このとき、第１左眼データ電圧Ｌ１が印加される時間は、第２左眼データ電圧Ｌ２が印加される時間より大きくしてもよい。また、表示パネル４００に第１右眼データ電圧Ｒ１が印加される時間は、第２右眼データ電圧Ｒ２が印加される時間と異なってもよく、このとき、第１右眼データ電圧Ｒ１が印加される時間は第２右眼データ電圧Ｒ２が印加される時間より大きくしてもよい。表示パネル４００に第１左眼データ電圧Ｌ１、第２左眼データ電圧Ｌ２、第１右眼データ電圧Ｒ１、及び第２右眼データ電圧Ｒ２が提供されるのに従って、表示パネル４００にデータ電圧が維持される維持区間の形状は、図１４のように示すことができる。
【０１９３】
図１４を参照すると、第１左眼データ電圧Ｌ１及び第１右眼データ電圧Ｒ１のそれぞれの維持区間を表示パネル４００の上部領域から下部領域に行くにつれて徐々に減少させてもよい。図示したように、表示パネル４００の最初の水平ライン１ｓｔ  ＬＩＮＥの維持区間が最も長く、最後の水平ラインＭ−ｔｈ  ＬＩＮＥの維持区間を最も短くしてもよい。
【０１９４】
一方、第２左眼データ電圧Ｌ２及び第２右眼データ電圧Ｒ２の各々の維持区間は、表示パネル４００の上部領域から下部領域に向かうにつれて徐々に増加させてもよい。図示したように、表示パネル４００の最初の水平ライン１ｓｔ  ＬＩＮＥの維持区間を最も短くしてもよく、最後の水平ラインＭ−ｔｈ  ＬＩＮＥの維持区間を最も長くしてもよい。
【０１９５】
第２左眼データ電圧Ｌ２は、第１左眼データ電圧Ｌ１と同一であるか、または、第１左眼データ電圧Ｌ１を用いて生成されるデータ電圧であってもよい。
【０１９６】
また、第２右眼データ電圧Ｒ２は、第１右眼データ電圧Ｒ１と同一であるか、または、第１右眼フレーム画像データＲ１を用いて生成されるデータ電圧であってもよい。
【０１９７】
本発明の実施形態によれば、表示パネルにデータ電圧の出力を所定の区間の間遮断し、以前に印加されたデータ電圧を維持することによって３次元画像の輝度を向上させることができる。また、所定の区間の間に３次元画像データのデータ電圧を表示パネル４００に出力しないことによって消費電力を減少させることができる。
【０１９８】
図示しなかったが、第Ｋフレーム（Ｋは自然数）間に左眼データフレームのデータ電圧を表示パネル４００に出力し、第（Ｋ＋１）フレームの間に表示パネル４００にデータ電圧が出力されることを遮断し、第（Ｋ＋２）フレームの間に右眼データフレームのデータ電圧を表示パネル４００に出力し、第（Ｋ＋３）フレームの間に表示パネル４００にデータ電圧が出力されることを遮断してもよい。この場合、消費電力を減らす側面では２つのフレームの間に表示パネル４００にデータ電圧を出力しないことによって本実施形態より効果的となる。
【０１９９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０２００】
１００ ３Ｄ処理部
２００ タイミング制御部
２１０ データ補正部
３００ 反復部
４００ 表示パネル
５００ パネル駆動部
５１０ データ駆動部
５３０ ゲート駆動部
６００ 光源部
７００ 光源駆動部
【図１】
0006434681.tif 000002
【図２】
0006434681.tif 000003
【図３】
0006434681.tif 000004
【図４】
0006434681.tif 000005
【図５】
0006434681.tif 000006
【図６】
0006434681.tif 000007
【図７】
0006434681.tif 000008
【図８】
0006434681.tif 000009
【図９】
0006434681.tif 000010
【図１０】
0006434681.tif 000011
【図１１】
0006434681.tif 000012
【図１２】
0006434681.tif 000013
【図１３】
0006434681.tif 000014
【図１４】
0006434681.tif 000015